(57)【要約】【課題】安全且つ簡単な作業で迅速に端子台カバーの取付けを行うと同時に封印作業を終了させることのできる端子台カバーの取付け・封印構造を提供すること。【解決手段】電力量計１０の端子台１４への端子台カバー１２の取付け・封印構造であり、端子台１４には端子台１４表面から突出する棒状体２０と、この棒状体２０の先端に取付けられる装着部材３０から構成されている。端子台カバー１２は棒状体２０を挿通する貫通孔を有し、装着部材３０は破壊容易な脆弱部を有する。この構造により、端子台１０への端子台カバー１２の取付け・封印作業を、端子台カバー１２の棒状体２０への仮取付け、及びこの棒状体２０への装着部材３０の装着という簡単な操作によって、安全且つ迅速に行うことができる。【選択図】図１
2012058051.tif 000002
【特許請求の範囲】
【請求項１】
電線が接続される端子が設けられた端子台と、該端子台を覆う端子台カバーと、を有する電力量計への前記端子台カバーの取付け・封印構造であって、
前記端子台に設けられて該端子台表面から所定長さ突出する棒状体と、
前記端子台カバーに設けられ、該端子台カバーの前記端子台への取付け位置において前記棒状体を挿通可能な貫通孔と、
該貫通孔に前記棒状体を挿通させて仮取付けした状態で該棒状体の先端側から該棒状体に係合装着可能であると共に、該係合装着により前記端子台カバーを本取付け状態とする装着部材と、を有し、
該装着部材は、外部からの力により容易に破壊される脆弱部を有し、且つ該脆弱部の破壊により初めて前記棒状体への前記係合装着状態の解除が可能となることを特徴とする端子台カバーの取付け・封印構造。
【請求項２】
前記装着部材は、筒状に形成された胴体部を有し、
前記脆弱部は、前記装着部材の胴体部の内側面から突出形成された逆止爪部であり、
前記棒状体には、前記逆止爪部が係合する受け部が設けられたことを特徴とする請求項１に記載の端子台カバーの取付け・封印構造。
【請求項３】
前記装着部材は、筒状に形成された胴体部と、該胴体部の内側面から突出形成された逆止爪部と、を有し、
前記棒状体には、前記逆止爪部が係合する受け部が設けられ、
前記脆弱部は、前記胴体部の外側面の長さ方向全長に亘って設けられた薄肉部により構成されていることを特徴とする請求項１に記載の端子台カバーの取付け・封印構造。
【請求項４】
前記胴体部は、前記棒状体に貫通される両端開放の筒状体として構成され、
前記受け部は、棒状体の長さ方向に多段式に複数設けられていることを特徴とする請求項２又は３に記載の端子台カバーの取付け・封印構造。
【発明の詳細な説明】
【技術分野】
【０００１】
本発明は、一般家庭に供給される電力の電力使用量を計量する電力量計の端子カバーの取付け・封印構造に関する。
【背景技術】
【０００２】
一般家庭や事業所には、電力使用量を計測して公正な料金取引を行う必要から、電力量計が設置されている。
【０００３】
この電力量計は、商用電源からの電源線を入力電線として接続するとともに各種機器に電力供給する出力電線を接続する端子台を備えている。この端子台は電線を接続するための金属端子が露出しているので、不用意に触れてしまわないように覆う端子台カバーが端子台に通常ネジ固定により取付けられている。更に、無断で接続変更等が行われることを防止するため、この端子台カバーには封印が施されている。
【０００４】
特許文献１には、従来の電力量計における端子台カバーの取付け及び封印の状態の部分が開示されている。図８は、従来の電力量計における端子台カバーの取付け・封印構造を説明する図である。図示のように、電力量計７０の下部の端子台７２に端子台カバー７１がネジ７３により取付けられている。そして、このネジ７３の頭部の横孔及び端子台カバー７１に設けられた切り起こし部７１ａに所定長さの封印用ワイヤ７４を挿通し、その封印用ワイヤ７４の両端に封印鉛７５を固着することにより端子台カバー７１を封印している。
【０００５】
しかし、上述のネジ固定によれば、端子台に配設されている雌ネジ穴に雄ネジを螺合させて端子台カバーを取付ける作業、すなわち、端子台カバーの貫通孔越しに雄ネジを雌ネジ穴に螺合させる作業の際、雄ネジを誤って端子部分に接触させることによる短絡事故の発生を防止するため、作業を慎重に行う必要がある。そこで、特許文献２には、端子台の雌ネジ穴に端子台カバーの取付用ピンを植立し、端子台カバーの貫通孔にこの取付用ピンを貫通させて端子台に端子台カバーを取付け固定する方法が提案されている。
【０００６】
図９は、従来の取付用ピンによる端子台カバーの取付け構造を示す図である。電力量計８０の下部の端子台８１に設けられた雌ネジ穴８２に取付け用ピン８３の基端を植立し、端子台カバー８４の貫通孔８４ａに取付け用ピン８３を挿通し、取付け用ピン８３の先端に固定キャップ８５を螺着して端子台カバー８４を取付ける。
【０００７】
その後、封印を実施する場合は、固定キャップ８５の封印用横孔８５ａ、端子台カバー８４の切り起こし部８４ｂに所定長さの封印用ワイヤ（図示せず）を通し、このワイヤの両端を鉛等で固着して封印作業を行うこととなる。
【先行技術文献】
【特許文献】
【０００８】
【特許文献１】特開２００７−２７８９４８
【特許文献２】特開２００８−１１１６７９
【発明の概要】
【発明が解決しようとする課題】
【０００９】
特許文献２に記載の端子台カバーの取付け構造によれば、雄ネジを端子台カバー越しに端子台の雌ネジ穴に螺着させるという作業を行わないので、端子台カバーの仮止めの際に端子台カバー越しに端子台の雌ネジ穴を探る必要が無く、従って雄ネジを誤って端子部分に接触させて短絡事故を発生させる虞は回避される。しかし、端子台カバーを最終的に完全に固定する取付け作業を行った後、別途封印を施す作業を行う必要がある。すなわち、端子台への取付け用ピンの植立、端子台カバー貫通孔への取付け用ピンの貫通による仮止め、及び固定キャップ取付けという作業後に、封印用ワイヤ、封印用鉛、及び封印用工具を用いた端子台カバーの封印作業を行うという多段階の作業が必要であり、作業工程が煩雑化して時間が取られることとなっていた。
【００１０】
本発明は、上記課題に鑑みてなされたものであり、その目的は、安全且つ簡単な作業で迅速に端子台カバーの取付けを行うと同時に封印作業を終了させることのできる端子台カバーの取付け・封印構造を提供することである。
【課題を解決するための手段】
【００１１】
上記目的を解決するための請求項１に記載の発明は、電線が接続される端子が設けられた端子台と、該端子台を覆う端子台カバーと、を有する電力量計への前記端子台カバーの取付け・封印構造であって、前記端子台に設けられて該端子台表面から所定長さ突出する棒状体と、前記端子台カバーに設けられ、該端子台カバーの前記端子台への取付け位置において前記棒状体を挿通可能な貫通孔と、該貫通孔に前記棒状体を挿通させて仮取付けした状態で該棒状体の先端側から該棒状体に係合装着可能であると共に、該係合装着により前記端子台カバーを本取付け状態とする装着部材と、を有し、該装着部材は、外部からの力により容易に破壊される脆弱部を有し、且つ該脆弱部の破壊により初めて前記棒状体への前記係合装着状態の解除が可能となることを特徴とする。
【００１２】
この構成によれば、端子台に設けられた棒状体を端子台カバーの貫通孔に挿通させて端子台カバーを仮取付けし、その後装着部材を棒状体の先端側から棒状体に装着するという簡易な作業で、迅速に端子台カバーが装着部材により端子台に本取付けされ、且つ同時に封印される。更に、この作業において端子台カバー越しに端子台の雌ネジ穴を探って雄ネジを螺着させるという作業を行わなくても良いので、短絡事故の虞も減少して作業自体の安全性も高まっている。また、装着部材には、外部からの力により容易に破壊される脆弱部が設けられているので、例えば、人の手による力でこの脆弱部を破壊することで、装着部材を棒状体から容易に脱着することができ、上述の取付け及び封印状態を容易に解除することができる。従って、端子台カバーの取付け及び封印状態を解除する作業も容易であり、迅速に、そして安全に行うことができる。
【００１３】
請求項２に記載の発明は、請求項１に記載の端子台カバーの取付け・封印構造において、前記装着部材は、筒状に形成された胴体部を有し、前記脆弱部は、前記装着部材の胴体部の内側面から突出形成された逆止爪部であり、前記棒状体には、前記逆止爪部が係合する受け部が設けられたことを特徴とする。
【００１４】
この構成によれば、端子台に設けられた棒状体を端子台カバーの貫通孔に挿通させて端子台カバーを仮取付けし、その後装着部材の筒状の胴体部を棒状体の先端に被せつつ装着部材の逆止爪部と棒状体の受け部を係合させるという簡易な作業で、迅速に端子台カバーが装着部材により端子台に本取付けされ、且つ同時に封印される。また、この取付け及び封印状態において、棒状体を軸として手で装着部材胴体部を回動させて脆弱部である装着部材の逆止爪部を破壊することにより逆止爪部と受け部の係合を解除し、装着部材を棒状体から脱着することができる。従って、端子台カバーの取付け及び封印状態を解除する作業も容易であり、迅速に、そして安全に行うことができる。
【００１５】
請求項３に記載の発明は、請求項１に記載の端子台カバーの取付け・封印構造において、前記装着部材は、筒状に形成された胴体部と、該胴体部の内側面から突出形成された逆止爪部と、を有し、前記棒状体には、前記逆止爪部が係合する受け部が設けられ、前記脆弱部は、前記胴体部の外側面の長さ方向全長に亘って設けられた薄肉部により構成されていることを特徴とする。
【００１６】
この構成によれば、端子台に設けられた棒状体を端子台カバーの貫通孔に挿通させて端子台カバーを仮取付けし、その後装着部材の筒状の胴体部を棒状体の先端から被せつつ装着部材の逆止爪部と棒状体の受け部を係合させるという簡易な作業で、迅速に端子台カバーが装着部材により端子台に本取付けされ、且つ同時に封印される。そして、この取付け及び封印状態において、装着部材胴体部上に薄肉部として構成された脆弱部を切り開くことにより逆止爪部と受け部の係合を解除し、装着部材を脱着することができる。従って、封印台カバーの取付け及び封印状態を解除する作業も容易であり、迅速に、そして安全に行うことができる。
【００１７】
請求項４に記載の発明は、請求項２又は３に記載の端子台カバーの取付け・封印構造において、前記胴体部は、前記棒状体に貫通される両端開放の筒状体として構成され、前記受け部は、棒状体の長さ方向に多段式に複数設けられていることを特徴とする。
【００１８】
この構成によれば、電力量計の種類の違いにより端子台と端子台カバー間に距離の違いが生じたとしても、装着部材の逆止爪部を、多段式に複数設けられた受け部の中からより適切に端子台カバーを取付けできる位置にある受け部を選択して係合させることにより、常にガタつきの少ない取付けが可能となる。これにより汎用性のある端子台カバーの取付け・封印を行うことができる。
【発明の効果】
【００１９】
本発明によれば、従来多段階で行っていた電力量計の端子台カバーの取付け・封印作業を一段階の作業で、安全且つ簡単な操作で迅速に行うことができる。従って、熟練作業者では無い作業者であっても的確にその作業を行うことができる。
【００２０】
また、本発明によれば、取付け・封印のために使用する工具の持ち運びが不要となるので、作業者等がその工具を電力量計のある作業現場まで持参する負担も軽減され、作業の効率化が達成される。
【図面の簡単な説明】
【００２１】
【図１】本発明の実施の形態に係る端子台カバー１２の取付け・封印構造による端子台カバー１２の端子台への取付け・封印が完了した状態を示す図である。
【図２】本発明の実施の形態に係る端子台カバー１２が取り付けられる端子台１４の部分の概略図である。
【図３】（Ａ）本発明の実施の形態に係る端子台１４の雌ネジ穴１８に螺着される棒状体２０の概略図である。（Ｂ）図３（Ａ）のI−I線断面図である。
【図４】（Ａ）本発明の実施の形態に係る棒状体２０の先端に装着される装着部材３０を説明する図である。（Ｂ）図４（Ａ）のII−II線断面図である。（Ｃ）図４（Ｂ）のIII−III線断面図である。（Ｄ）装着部材３０の変形例を示す図である。
【図５】本発明の実施の形態に係る端子台カバー１２の取付け・封印構造による端子台カバー１２の端子台１４への取付け・封印作業を説明するための図である。
【図６】（Ａ）本発明の実施の形態に係る棒状体２０の他の形状の一例を示す図である。（Ｂ）本発明の実施の形態に係る装着部材３０の他の形状の一例を示す図である。（Ｃ）図６（Ｂ）において矢印４００方向へ装着部材３０を見た図である。（Ｄ）図６（Ａ）の棒状体２０と図６（Ｂ）の装着部材３０との装着状態を示す図である。
【図７】（Ａ）本発明の実施の形態に係る棒状体２０の更に他の形状の一例を示す図である。（Ｂ）図７（Ａ）の棒状体２０に対応して装着される装着部材３０を示す図である。（Ｃ）図７（Ｂ）のIV−IV線断面図である。
【図８】従来の電力量計における端子台カバーの取付け・封印構造を説明する図である。
【図９】従来の取付用ピンによる端子台カバーの取付け構造を示す図である。
【発明を実施するための形態】
【００２２】
次に、本発明の実施の形態について、図１〜７に基づいて詳細に説明する。図１は、本発明の実施の形態に係る端子台カバー１２の取付け・封印構造による端子台カバー１２の端子台への取付け・封印が完了した状態を示す図である。図示のように、電力量計１０の下部に設けられた端子台に、その端子台を覆う端子台カバー１２が取付けられ、且つ封印されている。
【００２３】
図２は、本発明の実施の形態に係る端子台カバー１２が取り付けられる端子台１４の部分の概略図である。端子台１４には、入力電線及び出力電線を接続する金属端子１６の列の両側に、後述する棒状体を取付けるための雌ネジ穴１８が１個ずつ設けられている。
【００２４】
図３（Ａ）は本発明の実施の形態に係る端子台１４の雌ネジ穴１８に螺着される棒状体２０の概略図であり、同図（Ｂ）は同図（Ａ）のI−I線断面図である。棒状体２０には、基端部側面に端子台１４の雌ネジ穴１８と螺合する雄ねじ部２０ａが設けられている。更に、棒状体２０の先端部近傍の側面には、受け部として平面視略長方形状の凹部２０ｂが設けられている。この凹部２０ｂは、直径方向に対向する位置にそれぞれ１個ずつ設けられている。
【００２５】
図４（Ａ）は本発明の実施の形態に係る棒状体２０の先端に装着される装着部材３０を説明する図であり、同図（Ｂ）は同図（Ａ）のII−II線断面図、及び同図（Ｃ）は同図（Ｂ）のIII−III線断面図である。装着部材３０は有底の円筒状に形成された胴体部３０ａを有し、その胴体部３０ａの内径は棒状体２０の先端部を挿入可能な大きさに設定されている。更に、胴体部３０ａには、内側面３０ｂから逆止爪部３０ｃが、同図（Ｂ）における上側から下側へ向かって薄肉化されつつ傾斜して内方へ突出するように形成されている。  
【００２６】
同図（Ｃ）に示されるように、この逆止爪部３０ｃはそれぞれが対向するように設けられており、棒状体２０の凹部２０ｂと同時に係合可能な大きさ及び位置関係にある。また、上述の装着部材３０は可塑性樹脂で形成されており、薄肉化されつつ形成された逆止爪部３０ｃは、容易に破壊される脆弱部となっている。
【００２７】
次に、図５により実際の端子台１４への端子台カバー１２の取付け・封印の作業を説明する。図示のように、既に２本の棒状体２０の雄ネジ部２０ａが端子台１４の両側に位置する雌ネジ穴１８−１、１８−２にそれぞれ螺着され、棒状体２０が突出した状態で端子台１４に固定されている。
【００２８】
端子台カバー１２には、端子台１４に取付けられた時に棒状体２０を挿通可能とする貫通孔１２ａが２個設けられている。これらの貫通孔１２ａに棒状体２０を挿通し、そのまま端子台カバー１２を矢印３００方向にスライドさせて端子台１４表面に当接させることで、端子台カバー１２が端子台１４に仮取付けされる。ここで、仮取付けとは、端子台カバー１２が電力量計１０に最終的に固定される位置に非固定状態で設置されることをいう。この状態で、装着部材３０に棒状体２０の突出先端を挿入し、棒状体２０の凹部２０ｂと装着部材３０の逆止爪部３０ｃとを係合させることにより、装着部材３０を棒状体２０に装着する。これにより、端子台カバー１２が端子台１４に本取付けされた状態となる（本取付け完了状態は、図１を参照乞）。
【００２９】
上述のように装着部材３０が棒状体２０に装着された状態において、端子台カバー１２は端子台１４を覆う状態で固定されている。また、逆止爪部３０ｃと凹部２０ｂとは係合状態にあるので、装着部材３０は棒状体２０から離脱する方向へは移動できず、棒状体２０の中心線を軸として回動する方向へも移動できない。すなわち、脆弱部である逆止爪部３０ｃが塑性変形して破壊されない限り離脱及び回動方向への移動が不可能となるように全体が形成されている。従って、端子台カバー１２は、端子台１４への本取付けが行われると同時に実質的に封印が施された状態となっている。
【００３０】
以上のように、棒状体２０を介して電力量計に端子台カバー１２を仮取付けすると共にこの棒状体２０へ装着部材３０を係合装着することにより、端子台カバー１２を簡単に取付け・封印することができる。
【００３１】
更に、装着部材３０の逆止爪部３０ｃは脆弱部として形成されているので、図１の取付け・封印状態から装着部材３０を手で矢印１００方向へ回動させることによりこの逆止爪部３０ｃを折り、逆止爪部３０ｃと凹部２０ｂとの係合を解除し、装着部材３０を棒状体２０から容易に脱着することができる。従って、端子台カバー１２の取付け及び封印状態を簡単な作業で迅速に、そして安全に解除することができる。
【００３２】
本実施の形態では、装着部材３０の形状を棒状体２０の先端部に被せられて装着される有底の円筒形状として例示し、棒状体２０を、その先端部に凹部２０ｂが設けられた構成として例示したが、これに限定されるものではなく、種々の変形の適用が可能である。
【００３３】
以下に、その変形例を図６に基づいて説明する。図６（Ａ）は本発明の実施の形態に係る棒状体２０の他の形状の一例を示す図である。図示のように、棒状体２０の側面には受け部として、長さ方向に所定間隔を置いて多段式に平面視略長方形状の凹部２０ｂが、直径方向に対向するように２つずつ、計５対設けられている。
【００３４】
同図（Ｂ）は本発明の実施の形態に係る装着部材３０の他の形状の一例を示す図である。同図（Ｃ）は、同図（Ｂ）において矢印４００方向へ装着部材３０を見た図である。装着部材３０は、棒状体２０に貫通される円筒形の管状体として形成されている。従って、胴体部３０ａは、両端開放の筒状体となっている。胴体部３０ａの内側面から逆止爪部３０ｃが、同図（Ｂ）における下側から上側へ向かって薄肉化されつつ傾斜して内方へ突出するように形成されている。同図（Ｃ）に示されるように、逆止爪部３０ｃは、それぞれ対向するように設けられており、棒状体２０の凹部２０ｂそれぞれの対と係合する大きさ及び位置関係にある。また、上述の装着部材３０は可塑性樹脂により形成されており、薄肉化されつつ形成された逆止爪部３０ｃは、容易に破壊される脆弱部となっている。
【００３５】
同図（Ｄ）は、同図（Ａ）の棒状体２０と同図（Ｂ）の装着部材３０との装着状態を示す図である。本図において、端子台カバー１２の記載は省略している。ここで、装着部材３０は、同図（Ｂ）の下側から棒状体２０の先端部側へと嵌められる。そして、胴体部３０ａの逆止爪部３０ｃが、棒状体２０に多段式に設けられた凹部２０ｂのうち、端子台カバー１２を本取付けするうえで適切な位置にある凹部２０ｂと係合することにより、装着部材３０が棒状体２０に係合装着される。
【００３６】
この態様によれば、例えば、電力量計１０の種類の違いにより、端子台１４と端子台カバー１２間の距離が異なる場合であっても、それぞれの電力量計１０の端子台１４と端子台カバー１２間の距離の違いに合わせて端子台カバー１２の本取付けができる凹部２０ｂの位置を適切に選択できる。従って、端子台１４と端子台カバー１２間の隙間を無くしてガタつきを無くすことができるという、汎用性のある端子台カバー１２の端子台１４への取付け・封印構造が提供される。
【００３７】
また、装着部材３０の更なる変形例を図４（Ｄ）に示す。同図に示された装着部材３０には、胴体部３０ａの外側面の長さ方向全長に亘って断面視Ｖ字状に形成された薄肉部３０ｄが、直径方向に対向して設けられている。そして、この薄肉部３０ｄが脆弱部を構成していること以外は、同図（Ｄ）に示された装着部材３０は、図２（Ａ）で示された装着部材３０と同じ構成である。
【００３８】
これにより、端子台カバー１２が電力量計１０に取付け及び封印された状態から、この装着部材３０の薄肉部３０ｄにマイナスドライバー等を押し当てて、薄肉部３０ｄを切り開くことにより装着部材３０を展開して棒状体２０から脱着することができ、端子台カバー１２の取付け・封印状態を容易に解除することができる。更に、装着部材３０の薄肉部３０ｄを脆弱部として構成しているので、逆止爪部３０ｃの剛性を強化してこれを脆弱部ではない構成とすることができ、棒状体２０と装着部材３０との係合部位の強化を図ることができる。逆止爪部３０ｃの剛性強化は、逆止爪部３０ｃの厚みを増したり、より大きな剛性を有する可塑性樹脂を用いたりすることにより実施することができる。
【００３９】
なお、本発明は上記実施の形態に限定されることはなく、発明の趣旨を逸脱しない範囲で種々変更可能である。図７（Ａ）は本発明の実施の形態に係る棒状体２０の更に他の形状の一例を示す図である。同図（Ｂ）はその棒状体２０に対応して装着される装着部材３０を示す図であり、同図（Ｃ）は同図（Ｂ）のIV−IV線断面図である。例えば、棒状体２０の先端部から棒状体２０の一部を切欠いた切欠き部２０ｃを設け、装着部材３０にこの切欠き部２０ｃの形状に対応する内側面形状３０ｅを設けてもよい。これにより、棒状体２０の凹部２０ｂと装着部材３０の逆止爪部３０ｃの位置合わせが容易となる。
【００４０】
なお、本実施の形態においては、棒状体２０は端子台１４の雌ネジ穴１８に螺着されているが、棒状体２０と端子台１４は一体形成されていても良い。そうすることにより、端子台１４の雌ネジ穴１８に棒状体２０を螺着するという作業も必要なくなり、更に端子カバー１２の取付け・封印の作業の簡素化を図ることができる。
【符号の説明】
【００４１】
１０  電力量計
１２  端子台カバー
１４  端子台
２０  棒状体
２０ｂ  凹部
３０  装着部材
３０ａ  胴体部
３０ｃ  逆止爪部
３０ｄ  薄肉部
【図１】
2012058051.tif 000003
【図２】
2012058051.tif 000004
【図３】
2012058051.tif 000005
【図４】
2012058051.tif 000006
【図５】
2012058051.tif 000007
【図６】
2012058051.tif 000008
【図７】
2012058051.tif 000009
【図８】
2012058051.tif 000010
【図９】
2012058051.tif 000011